(57)【特許請求の範囲】
【請求項１】
複数のデジタル機器がインターフェースバスを介してネットワーク接続されることにより、各デジタル機器間での双方向の通信を可能とされ、前記ネットワーク接続の際に各デジタル機器の接続状態を自動的に認識する通信手段と、各デジタル機器に割り当てられたＩＤ情報を記憶する記憶手段と、各機器自身（自機という）を動作させる動作指令及び他の機器のＩＤ情報を添付して該当する機器を動作させる動作指令を出力する出力制御手段とを備え、前記インターフェースバスを介して接続されたビデオ再生装置（相手機という）に装填されたテープを再生して、自機に装填されたテープにダビングするネットワークシステム対応のデジタルビデオ再生録画装置において、
相手機とネットワーク接続され、その接続のためのインターフェースバスは、ＩＥＥＥ１３９４シリアルバスであり、
相手機に装填されたテープの再生開始／終了時間を入力するための入力手段と、
前記入力手段から入力された再生開始／終了時間から録画時間を計算する録画時間計算手段とを備え、
前記出力制御手段は、前記入力手段によって入力された再生開始／終了時間を前記記憶手段に記憶させ、前記録画時間計算手段により計算された録画時間が自機に装填されたテープの空き時間内であるとき、前記記憶手段に記憶させた再生開始時間に基いて、相手機に対して頭出し指令を出力して相手機に装填されたテープの再生箇所の頭出しを実行させた後、再生指令を出力して再生させると共に、その映像信号を取得して自機に装填されたテープに自動的にダビングを開始し、前記記憶手段に記憶させた再生終了時間に基いて、相手機に対して停止指令を出力して再生を停止させると共に、自機のダビングを終了することを特徴とするネットワークシステム対応のデジタルビデオ再生録画装置。
【請求項２】
複数のデジタル機器がインターフェースバスを介して接続されることにより、各デジタル機器間での双方向の通信を可能とされ、前記接続の際に各デジタル機器の接続状態を自動的に認識する通信手段と、各デジタル機器に割り当てられたＩＤ情報を記憶する記憶手段と、各機器自身（自機という）を動作させる動作指令及び他の機器のＩＤ情報を添付して該当する機器を動作させる動作指令を出力する出力制御手段とを備え、前記インターフェースバスを介して接続されたビデオ再生装置（相手機という）に装填されたテープを再生して、自機に装填されたテープにダビングするデジタルビデオ録画装置において、
相手機と前記インターフェースバスを介して接続され、
相手機に装填されたテープの再生開始／終了時間を入力するための入力手段と、
前記入力手段から入力された再生開始／終了時間から録画時間を計算する録画時間計算手段とを備え、
前記出力制御手段は、前記入力手段によって入力された再生開始／終了時間を前記記憶手段に記憶させ、前記録画時間計算手段により計算された録画時間が自機に装填されたテープの空き時間内であるとき、前記記憶手段に記憶させた再生開始時間に基いて、相手機に対して再生指令を出力して相手機に装填されたテープを再生させると共に、その映像信号を取得して自機に装填されたテープに自動的にダビングを開始し、前記記憶手段に記憶させた再生終了時間に基いて、相手機に対して停止指令を出力して再生を停止させると共に、自機のダビングを終了することを特徴とするデジタルビデオ録画装置。
【請求項３】
前記出力制御手段は、相手機に対して前記再生指令を出力する際に、前記記憶手段に記憶させた再生開始時間に基いて、巻戻し又は早送りの動作指令を出力することにより、相手機に装填されたテープの再生箇所の頭出しを実行させることを特徴とする請求項２に記載のデジタルビデオ録画装置。
【請求項４】
前記インターフェースバスは、ＩＥＥＥ１３９４シリアルバスであることを特徴とする請求項２又は請求項３に記載のデジタルビデオ録画装置。
【発明の詳細な説明】
【０００１】
【発明の属する技術分野】
本発明は、ＩＥＥＥ１３９４シリアルバスケーブルによって接続されたビデオ再生装置に装填されたテープを再生して、自機に装填されたテープにダビングするビデオ録画装置に関するものである。
【０００２】
【従来の技術】
従来より、複数の通信機器をＩＥＥＥ１３９４規格のシリアルバスケーブルを用いて相互に接続し、双方向の通信を行なうネットワークシステムがある。このシステムに適用される通信機器は、使い勝手の向上を図るため様々な工夫が施されている。一例を挙げれば、ＩＥＥＥ１３９４シリアルバスに対応した機器のデバッグやシステム設計を効率的に行うために、ＩＥＥＥ１３９４シリアルバスに対応した機器に対するコマンドに応じて、その機器が返すレスポンスに対応する信号を発生する信号発生装置が知られている（例えば、特開平１０−１８７４７９号公報参照）。また、家庭電化製品を制御するホームバスとＩＥＥＥ１３９４シリアルバスとの間でパケットのフォーマット変換を行って、映像、音声、及び制御コマンド等のデジタルデータの伝送を可能にした通信装置が知られている（例えば、特開平１０−１７８４３８号公報参照）。また、システム内の任意の機器が、コマンドとそのレスポンスに基く相手機の状態変化の通知を要請する通知コマンドを受ける際に、実行可能な通知コマンド数を越える数の機器から通知コマンドを受けた場合でも、上記通知サービスを有効にする通信機器が知られている（例えば、特開平１０−１４５４０１号公報参照）。
【０００３】
【発明が解決しようとする課題】
このような、ＩＥＥＥ１３９４シリアルバスを有する通信機器をビデオデッキに適用し、このビデオデッキ同士を相互に接続した場合であっても、接続先の機器の動作状態を検知することはできるが、自機の動作に合わせて相手機の動作を制御する機能はない。従って、例えば、相手機に装填されたテープの記録内容を自機に装填されたテープにダビングしたいときには、ユーザは、相手機のリモコン等の再生キーを押下して相手機の再生動作を開始させた後、自機のリモコン等の録画キーを押下して自機を録画動作に移行させなければならず、操作が煩雑である。特に、それぞれの機器が別室に設置されている場合、例えば、自機が居間に設置され相手機が寝室に設置されているような場合は、ユーザは、各部屋を移動しながら上記の操作を行わなければならず、不便である。
【０００４】
また、一本のテープ中でダビングしたい箇所が数カ所あり、それらが点在しているとき、ある箇所のダビングが終了した後、相手機が再生した画像を見ながら、次にダビングしたい箇所を検索し、所望のタイミングで自機を録画動作に移行させなければならず、ユーザはダビング中に自機から離れることができず不便である。仮に、ユーザがダビングの最中に自機から離れた場合は、ダビングする意志のない無駄な箇所までもがダビングされる虞がある。
【０００５】
本発明は、上述した問題点を解決するためになされたものであり、インターフェースバスを介してネットワーク接続された相手機のテープを自動的に再生し、ユーザが指定した所望の箇所の映像を無駄なく、ダビングできるビデオ録画装置を提供することを目的とする。
【０００６】
【課題を解決するための手段】
上記目的を達成するために請求項１の発明は、複数のデジタル機器がインターフェースバスを介してネットワーク接続されることにより、各デジタル機器間での双方向の通信を可能とされ、ネットワーク接続の際に各デジタル機器の接続状態を自動的に認識する通信手段と、各デジタル機器に割り当てられたＩＤ情報を記憶する記憶手段と、各機器自身（自機という）を動作させる動作指令及び他の機器のＩＤ情報を添付して該当する機器を動作させる動作指令を出力する出力制御手段とを備え、インターフェースバスを介して接続されたビデオ再生装置（相手機という）に装填されたテープを再生して、自機に装填されたテープにダビングするネットワークシステム対応のデジタルビデオ再生録画装置において、相手機とネットワーク接続され、その接続のためのインターフェースバスは、ＩＥＥＥ１３９４シリアルバスであり、相手機に装填されたテープの再生開始／終了時間を入力するための入力手段と、入力手段から入力された再生開始／終了時間から録画時間を計算する録画時間計算手段とを備え、出力制御手段は、入力手段によって入力された再生開始／終了時間を記憶手段に記憶させ、録画時間計算手段により計算された録画時間が自機に装填されたテープの空き時間内であるとき、記憶手段に記憶させた再生開始時間に基いて、相手機に対して頭出し指令を出力して相手機に装填されたテープの再生箇所の頭出しを実行させた後、再生指令を出力して再生させると共に、その映像信号を取得して自機に装填されたテープに自動的にダビングを開始し、前記記憶手段に記憶させた再生終了時間に基いて、相手機に対して停止指令を出力して再生を停止させると共に、自機のダビングを終了するものである。
【０００７】
この構成においては、自機及び相手機は双方向の通信が可能なＩＥＥＥ１３９４シリアルバスケーブルで接続され、自機から相手機に対して動作指令を出力して相手機を遠隔制御することができる。上記動作指令には、相手機のＩＤ情報を添付するものとされ、複数のデジタル機器がネットワーク接続されているときであっても、制御したい相手機を特定することができる。録画時間計算手段は、再生終了時間から再生開始時間を減じることによって、録画時間を計算し、この録画時間と、自機に装填されたテープの空き時間すなわちテープ残量とを比較して、録画可能であるかを検証する。テープ残量は、巻取りリールの回転速度変化より検出することができる。上記検証の結果、十分なテープ残量が存在し録画可能である場合は、相手機に対して再生部分の頭出し指令を出力する。この頭出し指令によって、相手機は、テープを走行させ、巻取りリールの回転速度変化よりテープの時間カウンタ値を検出し、この時間カウンタ値が再生開始時間と一致するように、巻戻し又は早送りを行い頭出しが実行される。頭出しを終えると、相手機の再生を開始させ、それによって取得した映像信号を自機のテープに自動的にダビングする。そして、相手機の時間カウンタ値が再生終了時間となると相手機の再生を停止させると共に自機のダビングを終了する。なお、再生開始／終了時間の入力が複数ある場合は、さらに、相手機に頭出し指令を出力し、次の再生開始時間まで早送りさせて頭出しを自動的に行い、上記と同様にダビングする。これにより、相手機のテープを再生し、ユーザが指定した箇所のみの映像を取得し、自機のテープに無駄なく自動的にダビングすることができる。
【０００８】
また、請求項２の発明は、複数のデジタル機器がインターフェースバスを介して接続されることにより、各デジタル機器間での双方向の通信を可能とされ、接続の際に各デジタル機器の接続状態を自動的に認識する通信手段と、各デジタル機器に割り当てられたＩＤ情報を記憶する記憶手段と、各機器自身（自機という）を動作させる動作指令及び他の機器のＩＤ情報を添付して該当する機器を動作させる動作指令を出力する出力制御手段とを備え、インターフェースバスを介して接続されたビデオ再生装置（相手機という）に装填されたテープを再生して、自機に装填されたテープにダビングするデジタルビデオ再生録画装置において、相手機とインターフェースバスを介して接続され、相手機に装填されたテープの再生開始／終了時間を入力するための入力手段と、入力手段から入力された再生開始／終了時間から録画時間を計算する録画時間計算手段とを備え、出力制御手段は、入力手段によって入力された再生開始／終了時間を記憶手段に記憶させ、録画時間計算手段により計算された録画時間が自機に装填されたテープの空き時間内であるとき、記憶手段に記憶させた再生開始時間に基いて、相手機に対して再生指令を出力して相手機に装填されたテープを再生させると共に、その映像信号を取得して自機に装填されたテープに自動的にダビングを開始し、記憶手段に記憶させた再生終了時間に基いて、相手機に対して停止指令を出力して再生を停止させると共に、自機のダビングを終了するものである。
【０００９】
この構成においては、請求項１と同様に、自機及び相手機は双方向の通信が可能なインターフェースバスを介して接続され、相手機を遠隔制御することができる。上記動作指令には、相手機のＩＤ情報を添付するものとされ、複数のデジタル機器がネットワーク接続されているときであっても、制御したい相手機を特定することができる。録画時間計算手段は、再生終了時間から再生開始時間を減じることによって、録画時間を計算し、この録画時間と、自機に装填されたテープの空き時間すなわちテープ残量とを比較して、録画可能であるかを検証する。テープ残量は、巻取りリールの回転速度変化より検出することができる。上記検証の結果、十分なテープ残量が存在し録画可能である場合は、再生開始時間に基いて相手機の再生を開始させ、それによって取得した映像信号を自機のテープに自動的にダビングする。そして、相手機の時間カウンタ値が再生終了時間となると相手機の再生を停止させるとともに自機のダビングを終了する。これにより再生箇所の頭出しを自動的に行うことを除いて、請求項１と同等の作用を有する。
【００１０】
また、請求項３の発明は、請求項２に記載のデジタルビデオ録画装置において、出力制御手段は、相手機に対して再生指令を出力する際に、記憶手段に記憶させた再生開始時間に基いて、巻戻し又は早送りの動作指令を出力することにより、相手機に装填されたテープの再生箇所の頭出しを実行させるものである。この構成においては、相手機のテープを再生開始時間まで巻戻し又は早送りして自動的に頭出しを行うため、相手機に前端まで巻き戻していないテープを装填した場合であっても、容易かつ迅速にダビングを行うことができる。
【００１１】
また、請求項４の発明は、請求項２又は請求項３に記載のデジタルビデオ録画装置において、インターフェースバスは、ＩＥＥＥ１３９４シリアルバスであるものである。この構成においては、デジタルビデオ録画装置と相手機と接続を容易に行うことができる。
【００１２】
【発明の実施の形態】
以下、本発明を具体化した一実施形態に係るビデオ録画装置を用いたネットワークシステムを図面を参照して説明する。図１に本発明のネットワークシステムの概略構成を示す。ネットワークシステム１は、ＤＶＨＳビデオデッキ１０，２０をＩＥＥＥ１３９４シリアルバスケーブル（以下、ＩＥＥＥ１３９４ケーブルという）２を介して接続することにより構築される。ここで、ＤＶＨＳビデオデッキ１０はビデオ録画装置であり、ＤＶＨＳビデオデッキ２０はビデオ再生装置である。また、各ＤＶＨＳビデオデッキ１０，２０には、ＴＶモニタ１９，２９が接続されている。
【００１３】
各ＤＶＨＳビデオデッキ１０，２０はＩＥＥＥ１３９４ケーブル２によって情報信号や制御信号を双方向に伝送して通信することができ、ネットワークシステム１内の他の機器に対して制御信号を伝送すれば、他の機器を遠隔制御することができる。例えば、ＤＶＨＳビデオデッキ１０は、ＤＶＨＳビデオデッキ２０に対して再生コマンドをＩＥＥＥ１３９４ケーブル２を介して伝送することにより、ＤＶＨＳビデオデッキ２０に装填されたテープを再生し、その映像信号をＩＥＥＥ１３９４ケーブル２を介して取得し、ＤＶＨＳビデオデッキ１０に装填したテープにダビングしたり、ＴＶモニタ１９に表示させることができる。
【００１４】
本システム１では、ＤＶＨＳビデオデッキ１０，２０をＩＥＥＥ１３９４シリアルバスを介して接続しているが、さらに、同バスに対応する各種のデジタル機器を接続し、相互間の通信を行うこともできる。このように複数のデジタル機器が接続されているような場合において、各機器を区別して認識するため、各機器には相異なるノードＩＤが付与される。このノードＩＤは、各機器の電源投入及び機器の追加・削除等のバスリセット時に、新たなＩＤとして付与される。そして、各機器間の通信は、各機器に対応するノードＩＤ毎に異なる周波数帯域の搬送波によって区別してなされている。
【００１５】
図２に本システム１に適用されるＤＶＨＳビデオデッキ１０，２０のブロック図を示す。ＤＶＨＳビデオデッキ１０は、ＩＥＥＥ１３９４ケーブル２を接続するためのポート１１ａ，１１ｂと、映像信号等のデジタル信号のエンコード／デコードを行なうＰＨＹチップ１２と、後述するノードＩＤ等のデータの判別を行なうＬＩＮＫチップ（通信手段、出力制御手段）１３と、ＤＶＨＳビデオデッキ１０全体の制御を司るＣＰＵ（出力制御手段、録画時間計算手段）１４と、ノードＩＤ、再生対象機及び再生開始／終了時間等を記憶するメモリ（記憶手段）１５と、再生対象機及び再生開始／終了時間等の入力を行うための入力キー１６とを備えている。同様に、ＤＶＨＳビデオデッキ２０は、ポート２１ａ，２１ｂ、ＰＨＹチップ２２、ＬＩＮＫチップ２３、ＣＰＵ２４、メモリ２５及び入力キー２６を備えている。ＩＥＥＥ１３９４ケーブル２ａの両端は、ＤＶＨＳビデオデッキ１０のポート１１ａとＤＶＨＳビデオデッキ２０のポート２１にそれぞれ接続される。なお、入力キー１６，２６は、通常はリモコン等の入力装置に設けられているが、ＤＶＨＳビデオデッキ１０，２０の外装パネルに設けたものであってもよい。
【００１６】
さらに、本発明におけるＤＶＨＳビデオデッキ１０からのＤＶＨＳビデオデッキ２０の再生動作の制御は以下のようになされる。まず、ＣＰＵ１４から制御信号がＬＩＮＫチップ１３及びＰＨＹチップ１２を介してポート１１ａに伝送される。この制御信号には、ＤＶＨＳビデオデッキ２０に付与されたノードＩＤが添付され、ＩＥＥＥ１３９４バスケーブル２を介して、ＤＶＨＳビデオデッキ２０のポート２１ａに伝送される。ポート２１ａにより制御信号を受けたＤＶＨＳビデオデッキ２０は、その信号を、さらにＰＨＹチップ２２を介してＬＩＮＫチップ２３に伝送する。そして、ＬＩＮＫチップ２３により、制御信号に添付されたノードＩＤが自機のものであることを認識して、この信号をＣＰＵ２４に伝送する。ＣＰＵ２４は、伝送された制御信号に基いて、ＤＶＨＳビデオデッキ２０の再生動作を開始し、取得した映像信号を、上記とは逆の経路にて、ＤＶＨＳビデオデッキ１０のＣＰＵ１４に伝送する。ＣＰＵ１４では、受信した上記映像信号を装填したテープに記録したり、ＴＶモニタ１９に表示させたりする。なお、ＬＩＮＫチップ２３は、ノードＩＤが自機のものでなければ、制御信号をＰＨＹチップ２２に返還し、さらにポート２１ｂよりＩＥＥＥ１３９４ケーブルを介して接続された他の機器（図示せず）に伝送する。このように、ノードＩＤによって再生するＤＶＨＳビデオデッキ（相手機）を指定し、制御しているので、３台以上のＤＶＨＳビデオデッキをＩＥＥＥ１３９４ケーブルで接続した場合であっても、相手機を指定して、制御することができる。
【００１７】
次に、ＤＶＨＳビデオデッキ１０を用いた自動ダビング機能について説明する。この自動ダビング機能は、上述したように、ＤＶＨＳビデオデッキ１０によって、ＤＶＨＳビデオデッキ２０を遠隔制御することにより、ＤＶＨＳビデオデッキ２０に装填されたテープを再生し、それにより取得した映像信号をＤＶＨＳビデオデッキ１０に装填したテープに自動的にダビングするものである。ＤＶＨＳビデオデッキ１０のユーザは、リモコンの入力キー１６を操作してＴＶモニタ１９にメニュー画面を表示させ、このメニュー画面から「自動ダビング設定」を選択することによって、図１に示した自動ダビング設定の画面がＴＶモニタ１９に表示され、同機能の設定を行うことができる。
【００１８】
同設定の画面上には、再生対象機器（相手機）と再生開始時間及び再生終了時間並びに録画時間が表示され、ユーザは、この画面を参照しながらリモコン等の入力キー１６を操作して再生対象機器を選択し、再生開始／終了時間を指定し、それらをメモリ１５に登録する。再生開始／終了時間は、ＤＶＨＳビデオデッキ２０が計数するダビング箇所の時間カウンタ値であり、予めユーザが知得していなければならないが、上記ダビング箇所の時間カウンタ値が不明の場合は、テープを再生し、該当する時間カウンタ値を調査して登録すればよい。ここでは、ＤＶＨＳビデオデッキ２０（ＤＶＨＳ−Ｂ）について、００：００から００：１０までの１０分間と、００：３０から００：４５までの１５分間が登録されている。また、上述のごとく、再生対象デッキとしての相手機は、複数のビデオデッキを選択してもよく、この場合は、それぞれのデッキに装填されたテープに記録されたコンテンツを、所望の順序にてダビングすることができ、さらに、ダビング途中で再生用テープを入れ替える必要がない。
【００１９】
上記の登録がなされると、ＣＰＵは、メモリに記憶させた再生終了時間から再生開始時間を減じることによって、各録画時間を計算し、それらの合計と自機に装填されたテープの空き時間すなわちテープ残量との比較を行い、録画可能であることを検証する。このテープ残量は、巻取りリールの回転速度変化より検出することができる。検証の結果、録画可能であれば、相手機の動作状態を確認し、動作中でなければ、自動ダビングを開始する。なお、複数の相手機がＩＥＥＥ１３９４ケーブルを介して接続されており、上記の再生対象機器として登録されているときは、これらの全ての相手機に対して動作状態を確認する。
【００２０】
次に、本ＤＶＨＳビデオデッキ１０が実行する自動ダビングの動作について説明する。まず、ＣＰＵ１４は相手機に頭出しコマンドを出力し、相手機のテープについて再生箇所の頭出しをさせる。具体的には、頭出しコマンドを受けた相手機のＣＰＵ２４は、テープを走行させ、その際の巻取りリールの回転速度変化を検知して、それによりテープの時間カウンタ値を算出し、その時間カウンタ値がメモリ１５に登録させた再生開始時間と一致するように、自機（ＤＶＨＳビデオデッキ２０）に対して巻戻しコマンド又は早送りコマンドを出力する。また、この頭出しは、ＣＰＵ１４が、相手機が算出した時間カウンタ値を受信し、この時間カウンタ値がメモリ１５に登録させた再生開始時間と一致するように、相手機に対して巻戻しコマンド又は早送りコマンドを出力することによって行ってもよい。
【００２１】
相手機のテープの頭出しが完了すると、相手機に対して再生コマンドを出力し、相手機のテープを再生すると共に、ＩＥＥＥ１３９４ケーブルを介して取得した映像信号を自機のテープに記録する。そして、相手機のテープの時間カウンタ値が再生終了時間になると、相手機に対して停止コマンドを出力し相手機の再生を停止させると共に、自機のダビングを終了する。なお、再生開始／終了時間の登録が複数ある場合は、さらに、相手機に頭出しコマンドを出力し、次の再生開始時間まで早送りさせて頭出しを行い、上記と同様にダビングする。
【００２２】
次に、ＤＶＨＳビデオデッキ１０のダビング時のＣＰＵ１４の処理について図３を参照して説明する。まず、ユーザに再生用相手機を選択させ（＃１）、再生開始／終了時間を登録させる（＃２）。そして、登録された再生開始／終了時間から録画時間を計算し（＃３）、計算した録画時間と自機に装填されたテープの空き時間（テープ残量）とを比較して、録画可能か否かをチェックする（＃４）。録画可能であり（＃４においてＹＥＳ）、さらに、ユーザから次登録の入力があれば（＃５においてＹＥＳ）、＃１に戻る。次登録がなければ（＃５においてＮＯ）、登録された再生用相手機の状態を確認し（＃６）、この相手機が動作中でなければ（＃７においてＮＯ）、相手機に装填されたテープの頭出しを行う（＃８）。その後、相手機を再生すると共に、自機によるダビング録画を開始させ（＃９）、登録された再生終了時間までの録画をチェックする（＃１０）。そして、メモリに登録した再生終了時間が来たら相手機に再生停止コマンドを送信して、相手機を停止させると共に（＃１１）、自機のダビング録画を停止させる（＃１２）。その後、次登録があれば（＃１３においてＹＥＳ）、＃８に戻り、次登録がなければ（＃１３においてＮＯ）、処理を終了する。なお、＃４において、録画可能でなければ（＃４においてＮＯ）、＃１に戻り、再生開始／終了時間を再度、登録させる。また、＃７において、相手機が動作中であれば（＃７においてＹＥＳ）、＃６に戻り、相手機の動作の終了を待つ。
【００２３】
このように、ＩＥＥＥ１３９４ケーブルによって接続された再生用の相手機の動作を、自機の録画動作に同期させて遠隔制御することができる。しかも、この相手機の再生動作の設定は、自機に接続されたＴＶモニタに表示された設定画面を参照しながら、自機を操作することにより行えるので、ダビングが容易に行える。また、ダビングしたい箇所が一本のテープ中に点在している場合であっても、それぞれの箇所について順次ダビングが実行されるので、無駄な録画内容をダビングすることなく、必要な録画内容を編集してダビングすることができる。さらに、ダビングしない箇所については早送りすることができるので、ダビングを迅速に行うことができる。また、上記制御は自動でなされるので、ダビング中にユーザがその場所から離れても支障はない。
【００２４】
なお、本発明は上記実施形態の構成に限られることなく種々の変形が可能であり、例えば、相手機のテープの頭出しは、テープ前端まで巻戻した後、時間カウンタ値をゼロにリセットして、登録された再生開始時間まで早送りすることとしてもよく、この操作は、ユーザが手動で行うものとしてもよい。
【００２５】
また、ＤＶＨＳビデオデッキ１０によっては、録画時に時間カウンタ値とコンテンツを対応付けてＴＯＣ（Ｔａｂｌｅ  Ｏｆ  Ｃｏｎｔｅｎｔｓ）情報としてテープに記録する機能を有するものもあるが、再生開始／終了時間を登録するに際に、上記記録されたＴＯＣ情報をＴＶモニタ１９に表示させ、ダビングする箇所をユーザに選択させるようにしてもよい。また、ＤＶＨＳビデオデッキ１０，２０はＴＶモニタ１９，２９と一体化されたものであっても構わない。
【００２６】
【発明の効果】
以上のように請求項１の発明によれば、ユーザが時間指定をした所望の箇所のみの映像を無駄なく、自機のテープに自動的にダビングすることができる。特にユーザが相手機に装填するテープの記録内容とそれらが記録されている時間カウンタ値を既に知っている場合は、自機の入力手段による再生開始／終了時間の入力のみで自動ダビングができるので便利である。また、相手機のテープを再生開始時間まで巻戻し又は早送りして自動的に頭出しを行うため、相手機に前端まで巻き戻していないテープを装填した場合であっても、容易かつ迅速にダビングを行うことができる。また、ダビングしたい箇所が一本のテープ中に点在している場合であっても、それぞれの箇所について順次ダビングが実行されるので、無駄な録画内容をダビングすることなく、必要な録画内容を編集してダビングすることができる。なお、自機及び相手機の制御は自動でなされるので、ダビング中にユーザがその場所から離れても支障はない。
【００２７】
請求項２の発明によれば、ユーザが時間指定をした所望の箇所のみの映像を無駄なく、自機のテープに自動的にダビングすることができる。特に、ユーザが相手機に装填するテープの記録内容とそれらが記録されている時間カウンタ値を既に知っている場合は、自機の入力手段による再生開始／終了時間の入力のみで自動ダビングができるので便利である。
【００２８】
請求項３の発明によれば、相手機のテープを再生開始時間まで巻戻し又は早送りして自動的に頭出しを行うため、相手機に前端まで巻き戻していないテープを装填した場合であっても、容易かつ迅速にダビングを行うことができる。また、ダビングしたい箇所が一本のテープ中に点在している場合であっても、それぞれの箇所について順次ダビングが実行されるので、無駄な録画内容をダビングすることなく、必要な録画内容を編集してダビングすることができる。なお、自機及び相手機の制御は自動でなされるので、ダビング中にユーザがその場所から離れても支障はない。
【００２９】
請求項４の発明によれば、自機と他機との接続を容易に行うことができる。これによって、ＩＥＥＥ１３９４ケーブルが有する、いわゆるホットプラグイン（Ｈｏｔ  Ｐｌｕｇ  Ｉｎ）やプラグアンドプレイ（Ｐｌｕｇ  ＆  Ｐｌａｙ）の機能に対応することができ、ユーザの利便性を向上させることができる。
【図面の簡単な説明】
【図１】本発明の一実施形態によるネットワークシステムにおける各ＤＶＨＳビデオデッキの接続状態と自動ダビング設定時の画面表示を示した図。
【図２】同システムに自機及び相手機として用いられるＤＶＨＳビデオデッキのブロック図。
【図３】同ＤＶＨＳビデオデッキの自動ダビング時における自機のＣＰＵの動作手順を示したフローチャート。
【符号の説明】
１    ネットワークシステム
２    ＩＥＥＥ１３９４ケーブル
１０    ＤＶＨＳビデオデッキ（ビデオ録画装置：自機）
１３    ＬＩＮＫチップ（通信手段、出力制御手段）
１４    ＣＰＵ（出力制御手段、録画時間計算手段）
１５    メモリ（記憶手段）
２０    ＤＶＨＳビデオデッキ（ビデオ再生装置：相手機）
【図１】
0003546851.tif 000002
【図２】
0003546851.tif 000003
【図３】
0003546851.tif 000004